【手続補正書】
【提出日】平成29年9月21日(2017.9.21)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果を導出させるために操作される導出操作手段と、
導出を許容する表示結果を決定する事前決定手段と、
表示結果を導出させる制御を行う導出制御手段と、
前記事前決定手段の決定結果が特定決定結果でありかつ前記導出操作手段が特定操作態様で操作されたときに特定制御を実行可能な特定制御手段と、
有利状態に制御する権利を付与する権利付与手段と、
前記権利が付与された後、前記特定制御が行われたことに基づき有利状態に制御する有利状態制御手段とを備え、
前記権利が付与された後、前記事前決定手段の決定結果が特定決定結果であるときに、前記特定操作態様は報知されず、
前記権利が付与されてから前記有利状態に制御されるまでの期間の長さに応じて遊技者の有利度合いが異なる、スロットマシン。
【請求項２】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果を導出させるために操作される導出操作手段と、
導出を許容する表示結果を決定する事前決定手段と、
表示結果を導出させる制御を行う導出制御手段と、
前記事前決定手段の決定結果が特定決定結果でありかつ前記導出操作手段が特定操作態様で操作されたときに特定制御を実行可能な特定制御手段と、
有利状態に制御する権利を付与する権利付与手段と、
前記権利が付与された後、前記特定制御が行われたことに基づき有利状態に制御する有利状態制御手段とを備え、
前記権利が付与された後、前記事前決定手段の決定結果が特定決定結果であるときに、前記特定操作態様は所定確率で報知され、
前記権利が付与されてから前記有利状態に制御されるまでの期間の長さに応じて遊技者の有利度合いが異なる、スロットマシン。
【手続補正２】
【補正対象書類名】明細書
【補正対象項目名】０００８
【補正方法】変更
【補正の内容】
【０００８】
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果を導出させるために操作される導出操作手段と、
導出を許容する表示結果を決定する事前決定手段と、
表示結果を導出させる制御を行う導出制御手段と、
前記事前決定手段の決定結果が特定決定結果でありかつ前記導出操作手段が特定操作態様で操作されたときに特定制御を実行可能な特定制御手段と、
有利状態に制御する権利を付与する権利付与手段と、
前記権利が付与された後、前記特定制御が行われたことに基づき有利状態に制御する有利状態制御手段とを備え、
前記権利が付与された後、前記事前決定手段の決定結果が特定決定結果であるときに、前記特定操作態様は報知されず、
前記権利が付与されてから前記有利状態に制御されるまでの期間の長さに応じて遊技者の有利度合いが異なる。
スロットマシンは、以下のように構成されてもよい。
各々が識別可能な複数種類の識別情報を変動表示可能な可変表示部（たとえば、リール２Ｌ、２Ｃ、２Ｒ）を備え、
前記可変表示部を変動表示した後、前記可変表示部の変動表示を停止することで表示結果を導出し、該表示結果に応じて入賞が発生可能なスロットマシン（たとえば、スロットマシン１）において、
遊技を制御する遊技制御手段（たとえば、メイン制御部４１）と、
演出を制御する演出制御手段（たとえば、サブ制御部９１）と、
遊技者が表示結果を導出させるために操作する導出操作手段（たとえば、ストップスイッチ８Ｌ、８Ｃ、８Ｒ）とを備え、
前記遊技制御手段は、
表示結果が導出される前に、特定表示結果（たとえば、１枚ベル入賞や外れの表示結果）を含む複数種類の表示結果のうちから導出を許容する表示結果を決定する事前決定手段（たとえば、メイン制御部４１による内部抽選処理）と、
前記事前決定手段による決定に応じて表示結果を導出させる制御を行う導出制御手段（たとえば、メイン制御部４１によるリール回転処理）と、
前記事前決定手段によって前記特定表示結果の導出が許容され（たとえば、押し順ベルのいずれかに当選）かつ前記導出操作手段が特定操作態様（たとえば、判定手順）で操作されたときに、特定制御（たとえば、ＡＴ信号出力設定、フリーズ設定）が実行可能な特定制御手段（たとえば、メイン制御部４１による図１３のＳｋ６の処理）とを含み、
前記演出制御手段は、
前記導出操作手段の操作態様を報知する手段であって（たとえば、図１８（ｂ）に示す正解手順の報知）、前記特定表示結果の導出が許容されたときには前記特定操作態様を報知しない（たとえば、図１８（ｃ）に示すように、判定手順それ自体は報知せずに、一部の判定手順を報知する）報知手段（たとえば、サブ制御部９１による判定用ナビ演出を実行する処理）と、
前記特定制御が行われたことに基づき有利状態（たとえば、ＡＴ）へ制御する有利状態制御手段とを含み、
所定条件が成立してから（たとえば、ナビストック獲得報知の後）前記有利状態に制御されるまでの所定期間（たとえば、準備状態の継続期間）の長さに応じて遊技者の有利度合いが異なる（たとえば、１ゲーム当りのメダルの払出率が１を超え、第３抽選条件が成立する回数が増えてナビストックが上乗せされる可能性が高くなる）。
【手続補正３】
【補正対象書類名】明細書
【補正対象項目名】００１０
【補正方法】変更
【補正の内容】
【００１０】
（２）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果を導出させるために操作される導出操作手段と、
導出を許容する表示結果を決定する事前決定手段と、
表示結果を導出させる制御を行う導出制御手段と、
前記事前決定手段の決定結果が特定決定結果でありかつ前記導出操作手段が特定操作態様で操作されたときに特定制御を実行可能な特定制御手段と、
有利状態に制御する権利を付与する権利付与手段と、
前記権利が付与された後、前記特定制御が行われたことに基づき有利状態に制御する有利状態制御手段とを備え、
前記権利が付与された後、前記事前決定手段の決定結果が特定決定結果であるときに、前記特定操作態様は所定確率で報知され、
前記権利が付与されてから前記有利状態に制御されるまでの期間の長さに応じて遊技者の有利度合いが異なる。
スロットマシンは、以下のように構成されてもよい。
各々が識別可能な複数種類の識別情報を変動表示可能な可変表示部（たとえば、リール２Ｌ、２Ｃ、２Ｒ）を備え、
前記可変表示部を変動表示した後、前記可変表示部の変動表示を停止することで表示結果を導出し、該表示結果に応じて入賞が発生可能なスロットマシン（たとえば、スロットマシン１）において、
遊技を制御する遊技制御手段（たとえば、メイン制御部４１）と、
演出を制御する演出制御手段（たとえば、サブ制御部９１）と、
遊技者が表示結果を導出させるために操作する導出操作手段（たとえば、ストップスイッチ８Ｌ、８Ｃ、８Ｒ）とを備え、
前記遊技制御手段は、
表示結果が導出される前に、特定表示結果（たとえば、１枚ベル入賞や外れの表示結果）を含む複数種類の表示結果のうちから導出を許容する表示結果を決定する事前決定手段（たとえば、メイン制御部４１による内部抽選処理）と、
前記事前決定手段による決定に応じて表示結果を導出させる制御を行う導出制御手段（たとえば、メイン制御部４１によるリール回転処理）と、
前記事前決定手段によって前記特定表示結果の導出が許容され（たとえば、押し順ベルのいずれかに当選）かつ前記導出操作手段が特定操作態様（たとえば、判定手順）で操作されたときに、特定制御（たとえば、ＡＴ信号出力設定、フリーズ設定）が実行可能な特定制御手段（たとえば、メイン制御部４１による図１３のＳｋ６の処理）とを含み、
前記演出制御手段は、
前記導出操作手段の操作態様を報知する手段であって（たとえば、図１８（ｂ）に示す正解手順の報知）、前記特定表示結果の導出が許容されたときには前記特定操作態様を報知するか否かの決定に基づき当該特定操作態様を報知する報知手段（たとえば、サブ制御部９１による判定用ナビ演出を実行する処理）と、
前記特定制御が行われたことに基づき有利状態（たとえば、ＡＴ）へ制御する有利状態制御手段とを含み、
所定条件が成立してから（たとえば、ナビストック獲得報知の後）前記有利状態に制御されるまでの所定期間（たとえば、準備状態の継続期間）の長さに応じて遊技者の有利度合いが異なる（たとえば、１ゲーム当りのメダルの払出率が１を超え、第３抽選条件が成立する回数が増えてナビストックが上乗せされる可能性が高くなる）。